(57)【要約】      （修正有）【課題】ロッドがハンドルから外れることがなく、安全に使用できるとともに製造が簡単で寿命が長い歯間ブラシを提供する。【解決手段】毛と、ロッドと、ハンドルと、から構成され、ロッドは、複数の鉄ワイヤを捩じって条状に形成され、毛はロッドの先端に入れられており、ハンドルに握り部が設けられ、ハンドルの上端に貫通孔があり、樹脂射出形成により、ロッドがハンドルの内部に止められる歯間ブラシにおいて、ロッド２２の中央に、ある角度に折り曲げた止め部２２１を形成する。【選択図】図３
0003184225.tif 000002
【実用新案登録請求の範囲】
【請求項１】
毛と、ロッドと、ハンドルと、から構成され、前記ロッドは、複数の鉄ワイヤを捩じって条状に形成されるものであり、前記毛は前記ロッドの先端に入れられており、前記ハンドルに握り部が設けられており、前記ハンドルの上端に貫通孔が設けられており、樹脂射出形成により、前記ロッドが前記ハンドルの内部に止められる歯間ブラシにおいて、
前記ロッドの中央は、ある角度に折り曲げられて止め部を形成することを特徴とする歯間ブラシ。
【請求項２】
前記止め部の屈折の形態は、円弧状、矩形、又は鋸歯状を呈することを特徴とする、請求項１に記載の歯間ブラシ。
【考案の詳細な説明】
【技術分野】
【０００１】  本考案は、歯間ブラシに関し、特に、ロッドの適当の箇所に、屈折された止め部を設けることにより、ロッドがハンドルから離脱不能となり、使用の安全性を増加可能であり、作製作業が簡易で快速となる歯間ブラシに関するものである。
【背景技術】
【０００２】  従来の歯間ブラシは、図１に示すように、毛１１と、ロッド１２と、ハンドル１３と、から構成される。ロッド１２は、上端に毛１１が複数設けられており、下端がハンドル１３に挿入して固定される。【０００３】  従来の歯間ブラシの使用方法は、まず、手でハンドル１３を握って、歯同士の隙間に毛１１を挿入して、毛１１を往復動させることにより、歯同士の隙間にある食べ物の屑を除去可能である。しかし、ロッド１２がハンドル１３に垂直に挿入されているため、ロッド１２を引出す力が大きすぎると、ロッド１２がハンドル１３から離脱する可能性がある。このように、歯間ブラシが損壊しやすく、そして断裂したロッド１２は、口腔に落ち、又は咽喉につかえる虞がある。これは極めて危険である。【０００４】  上記の問題を解決するために、図２に示すように、定位片１２０が設けられた歯間ブラシ１０が市販されている。このような歯間ブラシ１０は、プレス加工により、ロッド１２の下方の適当の箇所に定位片１２０を形成し、定位片１２０の幅がロッド１２の幅よりも大きいため、ロッド１２が引かれても、定位片１２０の係止により、ロッド１２が容易に離脱できない。このように、ロッド１２が口腔に落ち、又は咽喉につかえることを防止可能であり、歯間ブラシ１０の使用の安全性を増加可能である。しかしながら、このような歯間ブラシ１０によれば、ロッド１２が容易に離脱できないが、ロッド１２に定位片１２０を事前に形成することが必要であるため、工数が増加し、作製コストが増加する問題があった。【０００５】  一方、歯間ブラシ１０が定位片１２０を有するが、プレス加工された定位片１２０が薄いため、係止効果が良くなく、より大きい力によってロッド１２を引けると、定位片１２０の上端が断裂して、ロッド１２が歯同士の隙間に残る。このように、断裂したロッド１２は、口腔に落ち、又は咽喉につかえる虞がある。これは極めて危険である。
【考案の概要】
【考案が解決しようとする課題】
【０００６】  本考案の主な目的は、ロッドの適当の箇所に、屈折された止め部を設けることにより、ロッドがハンドルから離脱不能となり、使用の安全性を増加可能であり、作製作業が簡易で快速となり、寿命を増加可能な歯間ブラシを提供することにある。
【課題を解決するための手段】
【０００７】  本考案の歯間ブラシによると、毛と、ロッドと、ハンドルと、から構成され、ロッドは、複数の鉄ワイヤを捩じって条状に形成されるものであり、毛はロッドの先端に入れられており、ハンドルに握り部が設けられており、ハンドルの上端に貫通孔が設けられており、樹脂射出形成により、ロッドがハンドルの内部に止められる歯間ブラシにおいて、ロッドの中央は、ある角度に折り曲げられて止め部を形成することを特徴とする。【０００８】  本考案の歯間ブラシによると、止め部の屈折の形態は、円弧状、矩形、又は鋸歯状を呈することを特徴とする。
【考案の効果】
【０００９】  本考案の歯間ブラシによれば、ロッドの適当の箇所に、屈折された止め部を設けることにより、ロッドがハンドルから離脱不能となり、使用の安全性を増加可能であり、作製が簡易で快速となり、寿命を増加可能であるという効果を有する。
【図面の簡単な説明】
【００１０】
【図１】  従来の歯間ブラシの一を示す断面図である。
【図２】  従来の歯間ブラシの他部を示す断面図である。
【図３】  本考案の一実施例を示す分解斜視図である。
【図４】  本考案の一実施例の組合済み状態を示す斜視図である。
【図５】  本考案の一実施例の一部を示す断面図である。
【図６】  本考案の一実施例の使用状態を示す模式図である。
【図７】  本考案の止め部の屈折の態様を示す模式図である。
【考案を実施するための最良の形態】
【００１１】  以下、本考案の実施の形態を図面に基づいて説明する。
図３を参照する。図３は本考案の一実施例を示す分解斜視図である。本実施例の歯間ブラシ２は、毛２１と、ロッド２２と、ハンドル２３と、から構成される。ロッド２２は、複数の鉄ワイヤを捩じって条状に形成されるものである。ロッド２２の中央は、ある角度に折り曲げられて止め部２２１を形成する。毛２１はロッド２２の先端に入れられている。ハンドル２３に握り部２３１が設けられている。ユーザは、手でハンドル２３を握って歯間ブラシ２を利用可能である。図４に示すように、樹脂射出形成により、ロッド２２がハンドル２３の内部に止められる。このように、図４に示すように、本実施例の歯間ブラシ２が構成される。【００１２】  図５を参照する。図５は本考案の一実施例の一部を示す断面図である。ロッド２２がハンドル２３の内部に止められるため、止め部２２１の屈折により、ロッド２２は、ハンドル２３と緊密に係合して、ハンドル２３から容易に離脱できない。そして止め部２２１がハンドル２３に確実に係止されているため、より大きい力によってロッド２２を引出しても、ロッド２２がハンドル２３から容易に離脱できない。このように、ロッド２２が口腔に落ち、又は咽喉につかえることを防止可能であり、歯間ブラシ２の使用の安全性を増加可能である。【００１３】  次に、図６を参照しながら本考案の使用方法を説明する。図６は本考案の一実施例の使用状態を示す模式図である。ユーザが手でハンドル２３を握って、歯同士の隙間に毛２１を挿入して引出すことにより、歯同士の隙間にある食べ物の屑を除去可能である。毛２１が各寸法を有し、ユーザは、個人的な好みにより、適当の寸法を有する毛２１を選択して使用可能である。しかし、各ユーザの歯同士の隙間の大きさが異なるため、歯間ブラシ２の毛の太さも色々ある。歯間ブラシ２を使用しているときには、歯同士の隙間に毛２１を重複に挿入して引出すが、毛２１の移動が歯同士の隙間に止められることがある。このとき、より大きい力によってロッド２２を引出すときに、ロッド２２はハンドル２３から外部に移動する。本考案では、止め部２２１を設けて、止め部２２１がハンドル２３と緊密に噛合うため、ハンドル２３にロッド２２を有効に固定可能である。このように、毛２１の移動が歯同士の隙間に止められて、より大きい力によってロッド２２を引出しても、ロッド２２はハンドル２３から離脱不能である。これにより、使用の安全性を増加可能である。【００１４】  図７を参照する。図７は本考案の止め部２２１の屈折の態様を示す模式図である。止め部２２１は、ある角度に折り曲げられるため、係止効果が極めて良い。このように、ロッド２２はハンドル２３から容易に離脱不能である。止め部２２１は、矩形に折り曲げられた矩形止め部２２２でもいいし、円弧状に折り曲げられた円弧状止め部２２３でもいいし、鋸歯状に折り曲げられた鋸歯状止め部２２４でもよい。もちろん、止め部２２１は、その他の形状に折り曲げられてもよい。このように、ロッド２２はハンドル２３から容易に離脱できず、歯間ブラシ２の寿命を増加可能であり、作製が簡易で快速となる。
【符号の説明】
【００１５】１、１０：歯間ブラシ
２：歯間ブラシ
１１：毛
１２：ロッド
１３：ハンドル
２１：毛
２２：ロッド
２３：ハンドル
１２０：定位片
２２１：止め部
２２２：矩形止め部
２２３：円弧状止め部
２２４：鋸歯状止め部
２３１：握り部
【産業上の利用可能性】
【００１６】  本考案は、歯間ブラシに適用することができる。
【図１】
0003184225.tif 000003
【図２】
0003184225.tif 000004
【図３】
0003184225.tif 000005
【図４】
0003184225.tif 000006
【図５】
0003184225.tif 000007
【図６】
0003184225.tif 000008
【図７】
0003184225.tif 000009